(57)【特許請求の範囲】
【請求項１】
コンテンツの送信者及び受信者の端末と、管理サーバを含むコンテンツ送信システムであって、
前記送信者の端末は、
送信者の識別情報と抽選番号の購入数を含む送信者マスタ登録情報を前記管理サーバに送信する送信者マスタ登録情報送信手段と、
受信者及び送信者の識別情報、コンテンツ、抽選番号の付与数を含む受信者マスタ登録情報を前記管理サーバに送信する受信者マスタ登録情報送信手段と、
を有し、
前記管理サーバは、
前記送信者の識別情報と前記購入数分の抽選番号を送信者マスタに登録する送信者マスタ登録手段と、
前記受信者及び送信者の識別情報、前記受信者の識別情報に対応する抽選結果確認画面表示用ＵＲＬ、前記コンテンツ、前記送信者マスタの抽選番号のうち前記付与数分の抽選番号を受信者マスタに登録する受信者マスタ登録手段と、
前記受信者マスタに基づいて、前記コンテンツと前記抽選結果確認画面表示用ＵＲＬの送信を行うコンテンツ送信手段と、
前記受信者の端末に前記受信者マスタの抽選番号の抽選結果確認画面の送信を行う抽選結果確認画面送信手段と、
を有し、
前記受信者の端末は、
前記コンテンツと前記抽選結果確認画面表示用ＵＲＬを受信するコンテンツ受信手段と、
前記受信者マスタの抽選番号の抽選結果確認画面を表示する抽選結果確認画面表示手段と、
を有することを特徴とするコンテンツ送信システム。
【請求項２】
前記抽選結果確認画面では、前記受信者マスタに登録された複数の送信者のコンテンツに対応する複数の抽選番号についての抽選結果を一括して表示可能であることを特徴とする請求項１記載のコンテンツ送信システム。
【請求項３】
前記識別情報はメールアドレスであり、
前記コンテンツ送信手段は、前記コンテンツと前記抽選結果確認画面表示用ＵＲＬを前記受信者の端末にメールで送信することを特徴とする請求項１または請求項２記載のコンテンツ送信システム。
【請求項４】
前記受信者マスタ登録情報送信手段は、前記コンテンツの送信日時を前記管理サーバに送信し、
前記受信者マスタ登録手段は、前記送信日時を前記受信者マスタに登録し、
前記コンテンツ送信手段は、前記送信日時になると前記コンテンツと前記抽選結果確認画面表示用ＵＲＬの送信を行うことを特徴とする請求項１から請求項３のいずれかに記載のコンテンツ送信システム。
【請求項５】
前記抽選番号の抽選は、購入された抽選番号のなかから当選番号を選択することで行われることを特徴とする請求項１から請求項４のいずれかに記載のコンテンツ送信システム。
【請求項６】
前記送信者マスタ登録手段は、前記送信者の識別情報に対応する抽選結果確認画面表示用ＵＲＬを前記送信者マスタに登録し、
前記管理サーバは、当該抽選結果確認画面表示用ＵＲＬを前記送信者の端末に送信するＵＲＬ送信手段を更に有し、
前記抽選結果確認画面送信手段は、前記送信者の端末に前記送信者マスタの抽選番号の抽選結果確認画面の送信を行い、
当該抽選結果確認画面では、前記送信者マスタの抽選番号のうち前記受信者マスタに登録されなかった抽選番号の抽選結果が表示されることを特徴とする請求項１から請求項５のいずれかに記載のコンテンツ送信システム。
【請求項７】
コンテンツの送信者及び受信者の端末と、管理サーバによるコンテンツ送信方法であって、
前記送信者の端末が、
送信者の識別情報と抽選番号の購入数を含む送信者マスタ登録情報を前記管理サーバに送信するステップと、
受信者及び送信者の識別情報、コンテンツ、抽選番号の付与数を含む受信者マスタ登録情報を前記管理サーバに送信するステップと、
を実行し、
前記管理サーバが、
前記送信者の識別情報と前記購入数分の抽選番号を送信者マスタに登録するステップと、
前記受信者及び送信者の識別情報、前記受信者の識別情報に対応する抽選結果確認画面表示用ＵＲＬ、前記コンテンツ、前記送信者マスタの抽選番号のうち前記付与数分の抽選番号を受信者マスタに登録するステップと、
前記受信者マスタに基づいて、前記コンテンツと前記抽選結果確認画面表示用ＵＲＬの送信を行うステップと、
前記受信者の端末に抽選番号の抽選結果確認画面の送信を行うステップと、
を実行し、
前記受信者の端末が、
前記コンテンツ、前記抽選結果確認画面表示用ＵＲＬを受信するステップと、
前記受信者マスタの抽選番号の抽選結果確認画面を表示するステップと、
を実行することを特徴とするコンテンツ送信方法。
【請求項８】
コンテンツの送信者及び受信者の端末と、管理サーバを含むコンテンツ送信システムにおける管理サーバであって、
前記送信者の端末から送信者の識別情報と抽選番号の購入数を含む送信者マスタ登録情報を受信して、前記送信者の識別情報と前記購入数分の抽選番号を送信者マスタに登録する送信者マスタ登録手段と、
前記送信者の端末から受信者及び送信者の識別情報、コンテンツ、抽選番号の付与数を含む受信者マスタ登録情報を受信して、前記受信者及び送信者の識別情報、前記受信者の識別情報に対応する抽選結果確認画面表示用ＵＲＬ、前記コンテンツ、前記送信者マスタの抽選番号のうち前記付与数分の抽選番号を受信者マスタに登録する受信者マスタ登録手段と、
前記受信者マスタに基づいて、前記コンテンツと前記抽選結果確認画面表示用ＵＲＬの送信を行うコンテンツ送信手段と、
前記受信者の端末に抽選番号の抽選結果確認画面の送信を行う抽選結果確認画面送信手段と、
を有することを特徴とする管理サーバ。
【請求項９】
コンテンツの送信者及び受信者の端末と、管理サーバを含むコンテンツ送信システムにおける送信者の端末であって、
送信者の識別情報と、抽選番号の購入数分の抽選番号を前記管理サーバの送信者マスタに登録するべく、前記送信者の識別情報と前記購入数を含む送信者マスタ登録情報を前記管理サーバに送信する送信者マスタ登録情報送信手段と、
受信者及び送信者の識別情報、前記受信者の識別情報に対応する抽選結果確認画面表示用ＵＲＬ、前記コンテンツ、前記送信者マスタの抽選番号のうち付与数分の抽選番号を管理サーバの受信者マスタに登録すべく、前記受信者及び送信者の識別情報、前記コンテンツ、前記付与数を含む受信者マスタ登録情報を前記管理サーバに送信する受信者マスタ登録情報送信手段と、
を有し、
前記受信者マスタに基づいて、前記コンテンツと前記抽選結果確認画面表示用ＵＲＬの送信が前記管理サーバから行われ、
前記受信者マスタの抽選番号の抽選結果確認画面が、前記管理サーバから前記受信者の端末に送信されることを特徴とする端末。
【請求項１０】
コンテンツの送信者及び受信者の端末と、管理サーバを含むコンテンツ送信システムにおける管理サーバを、
前記送信者の端末から送信者の識別情報と抽選番号の購入数を含む送信者マスタ登録情報を受信して、前記送信者の識別情報と前記購入数分の抽選番号を送信者マスタに登録する送信者マスタ登録手段と、
前記送信者の端末から受信者及び送信者の識別情報、コンテンツ、抽選番号の付与数を含む受信者マスタ登録情報を受信して、前記受信者及び送信者の識別情報、前記受信者の識別情報に対応する抽選結果確認画面表示用ＵＲＬ、前記コンテンツ、前記送信者マスタの抽選番号のうち前記付与数分の抽選番号を受信者マスタに登録する受信者マスタ登録手段と、
前記受信者マスタに基づいて、前記コンテンツと前記抽選結果確認画面表示用ＵＲＬの送信を行うコンテンツ送信手段と、
前記受信者の端末に抽選番号の抽選結果確認画面の送信を行う抽選結果確認画面送信手段と、
して機能させることを特徴とするプログラム。
【請求項１１】
コンテンツの送信者及び受信者の端末と、管理サーバを含むコンテンツ送信システムにおける送信者の端末を、
送信者の識別情報と、抽選番号の購入数分の抽選番号を前記管理サーバの送信者マスタに登録するべく、前記送信者の識別情報と前記購入数を含む送信者マスタ登録情報を前記管理サーバに送信する送信者マスタ登録情報送信手段と、
受信者及び送信者の識別情報、前記受信者の識別情報に対応する抽選結果確認画面表示用ＵＲＬ、前記コンテンツ、前記送信者マスタの抽選番号のうち付与数分の抽選番号を管理サーバの受信者マスタに登録すべく、前記受信者及び送信者の識別情報、前記コンテンツ、前記付与数を含む受信者マスタ登録情報を前記管理サーバに送信する受信者マスタ登録情報送信手段と、
して機能させ、
前記受信者マスタに基づいて、前記コンテンツと前記抽選結果確認画面表示用ＵＲＬの送信が前記管理サーバから行われ、
前記受信者マスタの抽選番号の抽選結果確認画面が、前記管理サーバから前記受信者の端末に送信されることを特徴とするプログラム。
【請求項１２】
コンテンツの送信者及び受信者の端末と、管理サーバを含むコンテンツ送信システムにおける管理サーバを、
前記送信者の端末から送信者の識別情報と抽選番号の購入数を含む送信者マスタ登録情報を受信して、前記送信者の識別情報と前記購入数分の抽選番号を送信者マスタに登録する送信者マスタ登録手段と、
前記送信者の端末から受信者及び送信者の識別情報、コンテンツ、抽選番号の付与数を含む受信者マスタ登録情報を受信して、前記受信者及び送信者の識別情報、前記受信者の識別情報に対応する抽選結果確認画面表示用ＵＲＬ、前記コンテンツ、前記送信者マスタの抽選番号のうち前記付与数分の抽選番号を受信者マスタに登録する受信者マスタ登録手段と、
前記受信者マスタに基づいて、前記コンテンツと前記抽選結果確認画面表示用ＵＲＬの送信を行うコンテンツ送信手段と、
前記受信者の端末に抽選番号の抽選結果確認画面の送信を行う抽選結果確認画面送信手段と、
して機能させることを特徴とするプログラムを記録した記録媒体。
【請求項１３】
コンテンツの送信者及び受信者の端末と、管理サーバを含むコンテンツ送信システムにおける送信者の端末を、
送信者の識別情報と、抽選番号の購入数分の抽選番号を前記管理サーバの送信者マスタに登録するべく、前記送信者の識別情報と前記購入数を含む送信者マスタ登録情報を前記管理サーバに送信する送信者マスタ登録情報送信手段と、
受信者及び送信者の識別情報、前記受信者の識別情報に対応する抽選結果確認画面表示用ＵＲＬ、前記コンテンツ、前記送信者マスタの抽選番号のうち付与数分の抽選番号を管理サーバの受信者マスタに登録すべく、前記受信者及び送信者の識別情報、前記コンテンツ、前記付与数を含む受信者マスタ登録情報を前記管理サーバに送信する受信者マスタ登録情報送信手段と、
して機能させ、
前記受信者マスタに基づいて、前記コンテンツと前記抽選結果確認画面表示用ＵＲＬの送信が前記管理サーバから行われ、
前記受信者マスタの抽選番号の抽選結果確認画面が、前記管理サーバから前記受信者の端末に送信されることを特徴とするプログラムを記録した記録媒体。
【発明の詳細な説明】
【技術分野】
【０００１】
本発明は、年賀状画像などのコンテンツを送信するコンテンツ送信システム等に関する。
【背景技術】
【０００２】
近年、年賀状をはがきで郵送する代わりに、メール等のオンラインで年賀状画像の送信を行うユーザが増えている。オンラインで年賀状等の挨拶状を送信する例として、例えば特許文献１では、年賀状等の電子メールの送信予定日を設定しておき、送信予定日になるとユーザ（送信者）に対して音声やダイアログ等で通知するものが記載されている。
【先行技術文献】
【特許文献】
【０００３】
【特許文献１】特開2000-172581号公報
【発明の概要】
【発明が解決しようとする課題】
【０００４】
はがきによる年賀状の愉しみとして、景品の抽選権が付いていることがある。即ち、年賀状にはお年玉番号などとして抽選番号が付されており、抽選番号が当選している場合には景品が獲得できる仕組みになっている。
【０００５】
前記のようにオンラインでやり取りされる年賀状画像にも、このような抽選の愉しみが得られることが望ましい。しかしながら、このようなシステムは現在のところ存在しなかった。
【０００６】
本発明は、抽選の愉しみが得られるコンテンツ送信システム等を提供することを目的とする。
【課題を解決するための手段】
【０００７】
前述した課題を解決するための第１の発明は、コンテンツの送信者及び受信者の端末と、管理サーバを含むコンテンツ送信システムであって、前記送信者の端末は、送信者の識別情報と抽選番号の購入数を含む送信者マスタ登録情報を前記管理サーバに送信する送信者マスタ登録情報送信手段と、受信者及び送信者の識別情報、コンテンツ、抽選番号の付与数を含む受信者マスタ登録情報を前記管理サーバに送信する受信者マスタ登録情報送信手段と、を有し、前記管理サーバは、前記送信者の識別情報と前記購入数分の抽選番号を送信者マスタに登録する送信者マスタ登録手段と、前記受信者及び送信者の識別情報、前記受信者の識別情報に対応する抽選結果確認画面表示用ＵＲＬ、前記コンテンツ、前記送信者マスタの抽選番号のうち前記付与数分の抽選番号を受信者マスタに登録する受信者マスタ登録手段と、前記受信者マスタに基づいて、前記コンテンツと前記抽選結果確認画面表示用ＵＲＬの送信を行うコンテンツ送信手段と、前記受信者の端末に前記受信者マスタの抽選番号の抽選結果確認画面の送信を行う抽選結果確認画面送信手段と、を有し、前記受信者の端末は、前記コンテンツと前記抽選結果確認画面表示用ＵＲＬを受信するコンテンツ受信手段と、前記受信者マスタの抽選番号の抽選結果確認画面を表示する抽選結果確認画面表示手段と、を有することを特徴とするコンテンツ送信システムである。
【０００８】
本発明では、オンラインで送信者から受信者に宛てた年賀状画像等のコンテンツに、送信者が購入した抽選番号を付与することができ、受信者はコンテンツに付与された抽選番号の抽選結果を確認できる。これにより、抽選番号による抽選の愉しみが、オンラインで送受信されるコンテンツに付随することになる。さらに、従来の年賀状などでは、年賀状の配達やお年玉懸賞当選時の確認のために郵便局で人件費がかかっているという課題も解消できる。
【０００９】
また、前記抽選結果確認画面では、前記受信者マスタに登録された複数の送信者のコンテンツに対応する複数の抽選番号についての抽選結果を一括して表示可能である。
これにより、複数の送信者から送信されたコンテンツに付与されている複数の抽選番号について、抽選結果確認画面で一度に抽選結果を確認できる。
【００１０】
前記識別情報はメールアドレスであり、前記コンテンツ送信手段は、前記コンテンツと前記抽選結果確認画面表示用ＵＲＬを前記受信者の端末にメールで送信することが望ましい。
これにより、メールで年賀状画像等のコンテンツを送信する場合に本発明を適用できる。
【００１１】
前記受信者マスタ登録情報送信手段は、前記コンテンツの送信日時を前記管理サーバに送信し、前記受信者マスタ登録手段は、前記送信日時を前記受信者マスタに登録し、前記コンテンツ送信手段は、前記送信日時になると前記コンテンツと前記抽選結果確認画面表示用ＵＲＬの送信を行うことが望ましい。
これにより、例えば１月１日の午前０時０分など、決まった時間にコンテンツを送信でき、例えば年賀状画像等の送信予約ができるようになる。
【００１２】
前記抽選番号の抽選は、購入された抽選番号のなかから当選番号を選択することで行われることが望ましい。
これにより、購入されて出回っている抽選番号のなかから抽選番号や当選本数を決定でき、景品の抽選に係る処理を効率化できるようになる。例えば、従来の年賀状のように販売されなかった年賀状の抽選番号が当選しているといったことがなくなる。
【００１３】
また、前記送信者マスタ登録手段は、前記送信者の識別情報に対応する抽選結果確認画面表示用ＵＲＬを前記送信者マスタに登録し、前記管理サーバは、当該抽選結果確認画面表示用ＵＲＬを前記送信者の端末に送信するＵＲＬ送信手段を更に有し、前記抽選結果確認画面送信手段は、前記送信者の端末に前記送信者マスタの抽選番号の抽選結果確認画面の送信を行い、当該抽選結果確認画面では、前記送信者マスタの抽選番号のうち前記受信者マスタに登録されなかった抽選番号の抽選結果が表示されることが望ましい。
これにより、抽選番号を購入した送信者は、コンテンツに付与しなかった抽選番号を自身の抽選番号として抽選結果を確認できる。
【００１４】
第２の発明は、コンテンツの送信者及び受信者の端末と、管理サーバによるコンテンツ送信方法であって、前記送信者の端末が、送信者の識別情報と抽選番号の購入数を含む送信者マスタ登録情報を前記管理サーバに送信するステップと、受信者及び送信者の識別情報、コンテンツ、抽選番号の付与数を含む受信者マスタ登録情報を前記管理サーバに送信するステップと、を実行し、前記管理サーバが、前記送信者の識別情報と前記購入数分の抽選番号を送信者マスタに登録するステップと、前記受信者及び送信者の識別情報、前記受信者の識別情報に対応する抽選結果確認画面表示用ＵＲＬ、前記コンテンツ、前記送信者マスタの抽選番号のうち前記付与数分の抽選番号を受信者マスタに登録するステップと、前記受信者マスタに基づいて、前記コンテンツと前記抽選結果確認画面表示用ＵＲＬの送信を行うステップと、前記受信者の端末に抽選番号の抽選結果確認画面の送信を行うステップと、を実行し、前記受信者の端末が、前記コンテンツ、前記抽選結果確認画面表示用ＵＲＬを受信するステップと、前記受信者マスタの抽選番号の抽選結果確認画面を表示するステップと、を実行することを特徴とするコンテンツ送信方法である。
【００１５】
第３の発明は、コンテンツの送信者及び受信者の端末と、管理サーバを含むコンテンツ送信システムにおける管理サーバであって、前記送信者の端末から送信者の識別情報と抽選番号の購入数を含む送信者マスタ登録情報を受信して、前記送信者の識別情報と前記購入数分の抽選番号を送信者マスタに登録する送信者マスタ登録手段と、前記送信者の端末から受信者及び送信者の識別情報、コンテンツ、抽選番号の付与数を含む受信者マスタ登録情報を受信して、前記受信者及び送信者の識別情報、前記受信者の識別情報に対応する抽選結果確認画面表示用ＵＲＬ、前記コンテンツ、前記送信者マスタの抽選番号のうち前記付与数分の抽選番号を受信者マスタに登録する受信者マスタ登録手段と、前記受信者マスタに基づいて、前記コンテンツと前記抽選結果確認画面表示用ＵＲＬの送信を行うコンテンツ送信手段と、前記受信者の端末に抽選番号の抽選結果確認画面の送信を行う抽選結果確認画面送信手段と、を有することを特徴とする管理サーバである。
【００１６】
第４の発明は、コンテンツの送信者及び受信者の端末と、管理サーバを含むコンテンツ送信システムにおける送信者の端末であって、送信者の識別情報と、抽選番号の購入数分の抽選番号を前記管理サーバの送信者マスタに登録するべく、前記送信者の識別情報と前記購入数を含む送信者マスタ登録情報を前記管理サーバに送信する送信者マスタ登録情報送信手段と、受信者及び送信者の識別情報、前記受信者の識別情報に対応する抽選結果確認画面表示用ＵＲＬ、前記コンテンツ、前記送信者マスタの抽選番号のうち付与数分の抽選番号を管理サーバの受信者マスタに登録すべく、前記受信者及び送信者の識別情報、前記コンテンツ、前記付与数を含む受信者マスタ登録情報を前記管理サーバに送信する受信者マスタ登録情報送信手段と、を有し、前記受信者マスタに基づいて、前記コンテンツと前記抽選結果確認画面表示用ＵＲＬの送信が前記管理サーバから行われ、前記受信者マスタの抽選番号の抽選結果確認画面が、前記管理サーバから前記受信者の端末に送信されることを特徴とする端末である。
【００１７】
第５の発明は、コンテンツの送信者及び受信者の端末と、管理サーバを含むコンテンツ送信システムにおける管理サーバを、前記送信者の端末から送信者の識別情報と抽選番号の購入数を含む送信者マスタ登録情報を受信して、前記送信者の識別情報と前記購入数分の抽選番号を送信者マスタに登録する送信者マスタ登録手段と、前記送信者の端末から受信者及び送信者の識別情報、コンテンツ、抽選番号の付与数を含む受信者マスタ登録情報を受信して、前記受信者及び送信者の識別情報、前記受信者の識別情報に対応する抽選結果確認画面表示用ＵＲＬ、前記コンテンツ、前記送信者マスタの抽選番号のうち前記付与数分の抽選番号を受信者マスタに登録する受信者マスタ登録手段と、前記受信者マスタに基づいて、前記コンテンツと前記抽選結果確認画面表示用ＵＲＬの送信を行うコンテンツ送信手段と、前記受信者の端末に抽選番号の抽選結果確認画面の送信を行う抽選結果確認画面送信手段と、して機能させることを特徴とするプログラムである。
【００１８】
第６の発明は、コンテンツの送信者及び受信者の端末と、管理サーバを含むコンテンツ送信システムにおける送信者の端末を、送信者の識別情報と、抽選番号の購入数分の抽選番号を前記管理サーバの送信者マスタに登録するべく、前記送信者の識別情報と前記購入数を含む送信者マスタ登録情報を前記管理サーバに送信する送信者マスタ登録情報送信手段と、受信者及び送信者の識別情報、前記受信者の識別情報に対応する抽選結果確認画面表示用ＵＲＬ、前記コンテンツ、前記送信者マスタの抽選番号のうち付与数分の抽選番号を管理サーバの受信者マスタに登録すべく、前記受信者及び送信者の識別情報、前記コンテンツ、前記付与数を含む受信者マスタ登録情報を前記管理サーバに送信する受信者マスタ登録情報送信手段と、して機能させ、前記受信者マスタに基づいて、前記コンテンツと前記抽選結果確認画面表示用ＵＲＬの送信が前記管理サーバから行われ、前記受信者マスタの抽選番号の抽選結果確認画面が、前記管理サーバから前記受信者の端末に送信されることを特徴とするプログラムである。
【００１９】
第７の発明は、コンテンツの送信者及び受信者の端末と、管理サーバを含むコンテンツ送信システムにおける管理サーバを、前記送信者の端末から送信者の識別情報と抽選番号の購入数を含む送信者マスタ登録情報を受信して、前記送信者の識別情報と前記購入数分の抽選番号を送信者マスタに登録する送信者マスタ登録手段と、前記送信者の端末から受信者及び送信者の識別情報、コンテンツ、抽選番号の付与数を含む受信者マスタ登録情報を受信して、前記受信者及び送信者の識別情報、前記受信者の識別情報に対応する抽選結果確認画面表示用ＵＲＬ、前記コンテンツ、前記送信者マスタの抽選番号のうち前記付与数分の抽選番号を受信者マスタに登録する受信者マスタ登録手段と、前記受信者マスタに基づいて、前記コンテンツと前記抽選結果確認画面表示用ＵＲＬの送信を行うコンテンツ送信手段と、前記受信者の端末に抽選番号の抽選結果確認画面の送信を行う抽選結果確認画面送信手段と、して機能させることを特徴とするプログラムを記録した記録媒体である。
【００２０】
第８の発明は、コンテンツの送信者及び受信者の端末と、管理サーバを含むコンテンツ送信システムにおける送信者の端末を、送信者の識別情報と、抽選番号の購入数分の抽選番号を前記管理サーバの送信者マスタに登録するべく、前記送信者の識別情報と前記購入数を含む送信者マスタ登録情報を前記管理サーバに送信する送信者マスタ登録情報送信手段と、受信者及び送信者の識別情報、前記受信者の識別情報に対応する抽選結果確認画面表示用ＵＲＬ、前記コンテンツ、前記送信者マスタの抽選番号のうち付与数分の抽選番号を管理サーバの受信者マスタに登録すべく、前記受信者及び送信者の識別情報、前記コンテンツ、前記付与数を含む受信者マスタ登録情報を前記管理サーバに送信する受信者マスタ登録情報送信手段と、して機能させ、前記受信者マスタに基づいて、前記コンテンツと前記抽選結果確認画面表示用ＵＲＬの送信が前記管理サーバから行われ、前記受信者マスタの抽選番号の抽選結果確認画面が、前記管理サーバから前記受信者の端末に送信されることを特徴とするプログラムを記録した記録媒体である。
【発明の効果】
【００２１】
本発明により、抽選の愉しみが得られるコンテンツ送信システム等を提供することができる。
【図面の簡単な説明】
【００２２】
【図１】画像送信システム１の構成を示す図
【図２】管理サーバ３のハードウェア構成を示す図
【図３】ナンバーマスタ３００、送信者マスタ３１０及び受信者マスタ３２０を示す図
【図４】初期画面１１の例を示す図
【図５】抽選番号の購入に係る処理を示すフローチャート
【図６】抽選番号購入画面１２の例を示す図
【図７】年賀状作成画面１３の例を示す図
【図８】年賀状画像の送信登録に係る処理を示すフローチャート
【図９】選択画面１４と送信登録画面１５、及び詳細設定画面１６の例を示す図
【図１０】年賀状画像の送信に係る処理を示すフローチャート
【図１１】メール画面１７の例を示す図
【図１２】抽選結果の確認に係る処理を示すフローチャート
【図１３】ログイン画面１８、抽選結果確認画面１９、抽選前画面１９ａの例を示す図
【発明を実施するための形態】
【００２３】
以下、図面に基づいて本発明の好適な実施形態について詳細に説明する。
【００２４】
（１．画像送信システム１）
図１は本発明の実施形態に係る画像送信システム１（コンテンツ送信システム）の構成を示す図である。この画像送信システム１は、抽選番号を付与した年賀状画像（コンテンツ）の送信を行うものである。
【００２５】
図１に示すように、画像送信システム１では、管理サーバ３、郵便事業者サーバ５、送信者端末７、受信者端末９等がネットワーク２を介してデータ送受信可能に接続される。ネットワーク２は、例えばインターネット等である。この他、画像送信システム１では暗復サーバ（不図示）なども設けられる。
【００２６】
管理サーバ３は、本システムの管理者のサーバであり、画像送信システム１の処理全体を管理する。また、別体の暗復サーバにて、管理サーバ３が受信するデータや管理サーバ３から送信するデータに対し必要な暗号化処理あるいは復号処理を行う。
【００２７】
図２は、管理サーバ３のハードウェア構成を示す図である。管理サーバ３は、制御部３１、記憶部３２、入力部３３、表示部３４、通信部３５等をバス３６により接続して構成される。但しこれに限ることなく、適宜様々な構成をとることができる。
【００２８】
制御部３１は、ＣＰＵ、ＲＯＭ、ＲＡＭなどから構成される。
ＣＰＵは、記憶部３２、ＲＯＭ、記録媒体などに格納された管理サーバ３の処理に係るプログラムを、ＲＡＭ上のワークメモリ領域に呼び出して実行する。ＲＯＭは不揮発性メモリであり、コンピュータのブートプログラムやＢＩＯＳなどのプログラム、データなどを恒久的に保持している。ＲＡＭは揮発性メモリであり、記憶部３２、ＲＯＭ、記録媒体などからロードしたプログラムやデータを一時的に保持するとともに、制御部３１が各種処理を行う為に使用するワークエリアを備える。
【００２９】
記憶部３２は、例えばハードディスクドライブであり、制御部３１が実行するプログラム、プログラム実行に必要なデータ、ＯＳなどが格納される。これらのプログラムやデータは、制御部３１により必要に応じて読み出され、ＲＡＭに移して実行される。
【００３０】
入力部３３はデータの入力を行い、例えばキーボード、マウスなどのポインティングデバイス、テンキーなどの入力装置を有する。
表示部３４は、液晶パネルなどのディスプレイ装置と、ディスプレイ装置と連携して表示機能を実現するための論理回路（ビデオアダプタ等）を有する。
通信部３５は、ネットワーク等を介した通信を媒介する通信インタフェースであり、他のサーバ等と通信を行う。
バス３６は、各部間の制御信号、データ信号等の授受を媒介する経路である。
【００３１】
郵便事業者サーバ５は郵便事業者のサーバであり、図２で説明したものと同様のハードウェア構成を有する。
【００３２】
送信者端末７は年賀状画像の送信者の端末であり、受信者端末９は年賀状画像の受信者の端末である。これらの端末としては、図２で説明したものと同様のハードウェア構成を含むコンピュータ、スマートフォン、タブレット端末や携帯電話機等を用いることができる。
【００３３】
（２．ナンバーマスタ３００、送信者マスタ３１０及び受信者マスタ３２０）
本実施形態では、図３（ａ）に示すように、管理サーバ３の記憶部３２にナンバーマスタ３００、送信者マスタ３１０、受信者マスタ３２０が保持される。
【００３４】
ナンバーマスタ３００は、抽選番号全体の管理を行うものであり、全ての抽選番号、購入済みの抽選番号、当選した抽選番号等のデータが記録される。
【００３５】
送信者マスタ３１０は、年賀状画像の送信者に関するデータを管理するものである。図３（ｂ）は送信者マスタ３１０の例を示す図である。送信者マスタ３１０は、例えば、送信者メールアドレス３１１、確認用ＵＲＬ３１２、抽選番号３１３、ステータス３１４等のデータを紐付けて記録したものである。
【００３６】
送信者メールアドレス３１１は、年賀状画像の送信者のメールアドレスであり、送信者を一意に識別する識別情報としても用いられる。
【００３７】
確認用ＵＲＬ３１２は、抽選結果確認画面表示用のＵＲＬ(Uniform Resource Locator)であり、後述するログイン画面にアクセスするためのアドレスである。確認用ＵＲＬ３１２は、送信者メールアドレス３１１から所定のルールで生成され、送信者メールアドレス３１１と一対一に対応する固有のものとなる。
【００３８】
抽選番号３１３は、送信者が購入した一または複数の抽選番号である。抽選番号は、例えば１０桁の数字に年度を示す２桁の数字を組み合わせたものとするが、これに限ることはない。
【００３９】
ステータス３１４には、送信者本人の抽選対象となっているか否かが記録される。図の例では、抽選番号３１３が抽選対象となっている場合に「抽選対象」と記録される。後述するが、送信者が年賀状画像に抽選番号３１３を付与した場合、送信者マスタ３１０では、その抽選番号３１３に対する「抽選対象」の記録が削除され、送信者本人の抽選対象から外れることになる。
【００４０】
受信者マスタ３２０は、年賀状画像の受信者に関するデータを管理するものである。図３（ｃ）は受信者マスタ３２０の例を示す図である。受信者マスタ３２０は、例えば、受信者メールアドレス３２１、確認用ＵＲＬ３２２、送信者メールアドレス３２３、年賀状データ３２４、送信日時３２５、抽選番号３２６等のデータを紐付けて記録したものである。
【００４１】
受信者メールアドレス３２１は、年賀状画像の受信者のメールアドレスであり、受信者を一意に識別する識別情報としても用いられる。
【００４２】
確認用ＵＲＬ３２２は、前記の確認用ＵＲＬ３１２と同様、抽選結果確認画面表示用のＵＲＬであり、後述するログイン画面にアクセスするためのアドレスである。確認用ＵＲＬ３２２は、受信者メールアドレス３２１から所定のルールで生成され、受信者メールアドレス３２１と一対一に対応する固有のものとなる。
【００４３】
送信者メールアドレス３２３は、年賀状画像の送信者のメールアドレス３１１である。
年賀状データ３２４は、送信者が作成した年賀状画像のデータである。
送信日時３２５は、年賀状画像の送信日時である。
抽選番号３２６は、年賀状画像に対し付与された抽選番号である。
【００４４】
なお、上記した各メールアドレスは、暗復サーバにより暗号化されて送信者マスタ３１０や受信者マスタ３２０に登録されるものとする。
【００４５】
（３．画像送信システム１における処理）
続いて、画像送信システム１における処理について説明する。以降の説明では、年賀状画像の送信者をユーザＡとし、年賀状画像の受信者をユーザＢとする。
【００４６】
なお、年賀状画像の送信者であるユーザＡは、予め送信者端末７を用いて郵便事業者サーバ５が提供するウェブサイトにアクセスし、後述する送信者端末７の処理を実行するためのアプリケーションをダウンロードし、送信者端末７の記憶部に記憶する。また、アプリケーションの初回起動時などにユーザＡのメールアドレスを入力し、入力されたメールアドレスを送信者端末７の記憶部に記憶しておく。
【００４７】
本実施形態では、ユーザＡの操作入力により、送信者端末７がアプリケーションを立ち上げ、初期画面を表示部に表示させる。図４は初期画面１１の例を示す図である。この画面では、抽選番号を購入するための「ナンバー購入」ボタン１１１、年賀状画像を作成するための「年賀状作成」ボタン１１３、作成した年賀状画像の送信登録を行うための「送信」ボタン１１５が表示される。
【００４８】
（３−１．抽選番号の購入）
図５は抽選番号の購入に係る処理を示すフローチャートである。図のＳ１１〜Ｓ１４、Ｓ１８は送信者端末７の制御部が実行する処理であり、Ｓ１５〜Ｓ１７は管理サーバ３の制御部３１が実行する処理である。
【００４９】
ユーザＡは、抽選番号を購入する場合、初期画面１１（図４参照）にて「ナンバー購入」ボタン１１１を選択する。送信者端末７は、「ナンバー購入」ボタン１１１の選択を受付けると、表示部に抽選番号購入画面を表示させる（Ｓ１１）。
【００５０】
図６は抽選番号購入画面１２の例を示す図である。この画面では、抽選番号の購入数を入力する購入数入力領域１２１、購入されていない抽選番号の数を示す未使用番号数１２３、抽選番号の購入を行うための「購入へ進む」ボタン１２５が表示される。
【００５１】
ユーザＡは送信者端末７を操作し、購入数入力領域１２１にて抽選番号の購入数の入力を行う。送信者端末７は購入数の入力を受付けて（Ｓ１２）、購入数入力領域１２１に表示する。
【００５２】
ユーザＡは、抽選番号の購入数を入力した後、「購入へ進む」ボタン１２５を選択して購入を決定する。送信者端末７は、抽選番号の購入決定を受付けると（Ｓ１３）、決済処理の後、ユーザＡのメールアドレス（識別情報）と抽選番号の購入数を含む送信者マスタ登録情報を管理サーバ３に送信する（Ｓ１４）。管理サーバ３は送信者マスタ登録情報を受信し（Ｓ１５）、送信者マスタ３１０への登録を行う（Ｓ１６）。
【００５３】
ここでは、送信者マスタ登録情報のうちユーザＡのメールアドレスを前記の暗復サーバによって暗号化し、送信者マスタ３１０の送信者メールアドレス３１１として登録する。また、所定のルールによりユーザＡのメールアドレスから確認用ＵＲＬ３１２を生成し、これを登録する。
【００５４】
さらに、ナンバーマスタ３００に登録された抽選番号のうち未購入の抽選番号から、送信者マスタ登録情報として受信した抽選番号の購入数の分だけ抽選番号を選択し、その番号を抽選番号３１３として登録する。抽選番号は例えばランダムに選択するが、これに限ることはない。ステータス３１４の欄には、初期値として、各抽選番号３１３が抽選対象となっている旨（図３（ｂ）の例では「抽選対象」）を記録する。
【００５５】
次に、管理サーバ３は、確認用ＵＲＬ３１２をメールに記載してユーザＡのメールアドレス宛てに送信する（Ｓ１７）。ユーザＡの送信者端末７は、確認用ＵＲＬ３１２が記載されたメールを受信する（Ｓ１８）。
【００５６】
以上のようにして、ユーザＡが抽選番号を購入した際に、送信者マスタ３１０の登録が行われる。購入した抽選番号は、年賀状画像に付与することができる。
【００５７】
（３−２．年賀状画像の作成）
ユーザＡは、年賀状画像を作成する場合、初期画面１１（図４参照）にて「年賀状作成」ボタン１１３を選択する。送信者端末７は、「年賀状作成」ボタン１１３の選択を受付けると、表示部に年賀状作成画面を表示させる。
【００５８】
図７は年賀状作成画面１３の例を示す図である。この画面では、年賀状画像を新規作成するための「新規作成」ボタン１３１、既存の年賀状画像の編集を行うための「編集」ボタン１３３が表示される。「新規作成」ボタン１３１を選択すると年賀状画像の新規作成画面（不図示）に移行して年賀状画像の新規作成が可能であり、「編集」ボタン１３３を選択すると年賀状画像の編集画面（不図示）に移行して既存の年賀状画像の編集が可能である。ユーザＡは、送信者端末７を操作してこれらの画面上で年賀状画像の新規作成や編集を行い、送信者端末７は、これらの操作に応じて新規の年賀状画像を記憶部に記憶したり、記憶部に記憶された既存の年賀状画像の更新処理を行う。
【００５９】
（３−３．年賀状画像の送信登録）
図８は年賀状画像の送信登録に係る処理を示すフローチャートである。図のＳ２１〜Ｓ２５は送信者端末７の制御部が実行する処理であり、Ｓ２６、Ｓ２７は管理サーバ３の制御部３１が実行する処理である。
【００６０】
ユーザＡは、年賀状画像の送信登録を行う場合、初期画面１１（図４参照）にて「送信」ボタン１１５を選択する。送信者端末７は、「送信」ボタン１１５の選択を受付けると、表示部に選択画面を表示させる（Ｓ２１）。
【００６１】
図９（ａ）は選択画面１４の例を示す図である。この画面では、メールによる年賀状画像の送信を選択するための「メール」ボタン１４１や、種々のＳＮＳ(social network service)による年賀状画像の送信を選択するための「ＳＮＳ１」ボタン１４３、「ＳＮＳ２」ボタン１４５が表示される。
【００６２】
本実施形態ではメールで年賀状画像を送信する場合について説明する。なお、ＳＮＳにて年賀状画像を送信する場合も、年賀状画像の送信先をＳＮＳの管理サーバとし、メールアドレスの代わりにＳＮＳにおけるユーザＩＤを用いれば、基本的には同様の処理となる。
【００６３】
ユーザＡは送信者端末７を操作し、選択画面１４上で「メール」ボタン１４１を選択する。送信者端末７は「メール」ボタン１４１の選択を受付けて、メールにより年賀状画像の送信を行うための送信登録画面を表示させる（Ｓ２２）。
【００６４】
図９（ｂ）は送信登録画面１５の例を示す図である。この画面では、受信者（ユーザＢ）のメールアドレスを入力するメールアドレス入力領域１５１、送信する年賀状画像を選択するための画像選択ボタン１５３、抽選番号の付与数を入力する付与数入力領域１５５、年賀状画像の送信日時を表示する送信日時表示領域１５６、年賀状画像の送信登録を行うための「送信」ボタン１５７、詳細設定を行うための「詳細設定」ボタン１５９が表示される。
【００６５】
ユーザＡは送信者端末７を操作し、メールアドレス入力領域１５１にてユーザＢのメールアドレスの入力を行う。また、画像選択ボタン１５３を選択することで、送信者端末７の記憶部に記憶された年賀状画像のなかから送信する画像を選択する。さらに、付与数入力領域１５５にて、年賀状画像への抽選番号の付与数を入力する。
【００６６】
また、本実施形態では、「詳細設定」ボタン１５９の選択により、年賀状画像の送信日時の設定が行えるようにしている。すなわち、「詳細設定」ボタン１５９が選択されると、送信者端末７は図９（ｃ）に例示する詳細設定画面１６を表示させる。この詳細設定画面１６では、希望する送信日時（例えば１月１日の午前０時０分など）を入力する送信日時入力領域１６１と「設定完了」ボタン１６３が表示される。送信日時入力領域１６１にて希望する送信日時を入力し、「設定完了」ボタン１６３を選択することで、年賀状画像の送信日時が設定されて送信登録画面１５へと戻る。設定した送信日時は送信日時表示領域１５６に表示される。
【００６７】
送信者端末７は、このようにして、送信する年賀状画像の他、ユーザＢのメールアドレス、年賀状画像への抽選番号の付与数、送信日時等の入力を受付け（Ｓ２３）、ＲＡＭ等に記憶する。
【００６８】
ユーザＡは、これらの情報を入力した後、「送信」ボタン１５７を選択して年賀状画像の送信登録を決定する。送信者端末７は、年賀状画像の送信登録の決定を受付けると（Ｓ２４）、送信する年賀状画像、ユーザＢのメールアドレス（識別情報）、年賀状画像への抽選番号の付与数、送信日時に加え、ユーザＡのメールアドレス（識別情報）を含む受信者マスタ登録情報を管理サーバ３に送信する（Ｓ２５）。
【００６９】
管理サーバ３は、受信者マスタ登録情報を受信し（Ｓ２６）、受信者マスタ３２０の登録を行う（Ｓ２７）。
【００７０】
ここでは、ユーザＢとユーザＡのメールアドレスを前記の暗復サーバにて暗号化し、受信者マスタ３２０の受信者メールアドレス３２１、送信者メールアドレス３２３としてそれぞれ登録する。また、所定のルールによりユーザＢのメールアドレスから確認用ＵＲＬ３２２を生成し、これを登録する。
【００７１】
また、受信者マスタ登録情報として受信した年賀状画像、送信日時は年賀状データ３２４、送信日時３２５として登録する。
【００７２】
さらに、ユーザＡのメールアドレスに対応する送信者マスタ３１０を参照し、抽選対象となっている（ステータス３１４の欄が「抽選対象」と記録されている）抽選番号３１３の中から、受信者マスタ登録情報として受信した付与数の分だけ抽選番号３１３を選択し、その番号を抽選番号３２６として登録する。抽選番号は例えばランダムに選択するが、これに限ることはない。なお、送信者マスタ３１０では、この時選択された抽選番号３１３が抽選対象から外される（ステータス３１４の欄が空欄になる）。
【００７３】
以上のようにして、ユーザＡによる年賀状画像の送信登録時に、受信者マスタ３２０の登録が行われる。この受信者マスタ３２０で年賀状画像と抽選番号を対応付けることにより、年賀状画像に抽選番号が付与される。
【００７４】
なお、前記の送信登録画面１５（図９（ｂ）参照）等で入力する情報のうち、抽選番号の付与数は「０」と入力することも可能であり、この場合、Ｓ２７で受信者マスタ３２０に抽選番号３２６の登録が行われず（年賀状画像に抽選番号が付与されない）、確認用ＵＲＬ３２２の登録も行わない。
【００７５】
あるいは、抽選番号の付与数や送信日時を入力せずに「送信」ボタン１５７を選択して以降の処理を進めることもでき、付与数を入力しない場合は上記と同様の処理となる。送信日時を入力しない場合は、Ｓ２７で受信者マスタ３２０に送信日時３２５の登録を行わず、その他の情報を受信者マスタ３２０に登録した後、年賀状画像を即時に送信する流れとなる。年賀状画像の送信後、その送信日時を受信者マスタ３２０に登録することは可能である。
【００７６】
（３−４．年賀状画像の送信）
図１０は、年賀状画像の送信に係る処理を示すフローチャートである。図のＳ３１は管理サーバ３の制御部３１が実行する処理であり、Ｓ３２、Ｓ３３は受信者端末９の制御部が実行する処理である。
【００７７】
本実施形態では、管理サーバ３が、受信者マスタ３２０で設定された送信日時３２５になるか、受信者マスタ３２０の登録が完了する（前記したように送信日時の入力を行わなかった場合）と、受信者マスタ３２０に基づいて、年賀状画像を始め、ユーザＡのメールアドレスや確認用ＵＲＬ３２２を含むメールを送信する（Ｓ３１）。
【００７８】
ここでは、受信者マスタ３２０の受信者メールアドレス３２１と送信者メールアドレス３２３を暗復サーバににて復号する。そして、送り主をユーザＡのメールアドレスとし、送り先をユーザＢのメールアドレスとし、年賀状画像とユーザＢの確認用ＵＲＬ３２２を含んだメールをユーザＢのメールアドレス宛てに送信する。ユーザＢの受信者端末９は、このメールを受信し（Ｓ３２）、年賀状画像や確認用ＵＲＬ３２２などを含むメール画面を表示する（Ｓ３３）。
【００７９】
図１１はメール画面１７の例である。このメール画面１７では、ユーザＡ（送信者）、ユーザＢ（受信者）のメールアドレス１７１、１７２の他、年賀状画像１７３が表示される。さらに、確認用ＵＲＬ３２２がテキストデータなどとして表示される。確認用ＵＲＬ３２２は、年賀状画像１７３に埋め込んで表示してもよい。また、メール画面１７に年賀状画像１７３に付与された抽選番号３２６を表示したりしてもよい。
【００８０】
なお、年賀状画像に抽選番号が付与されなかった場合には、メールには確認用ＵＲＬ３２２が含まれない。また、メールアドレスの誤りなどにより年賀状画像が正しく送信されなかった場合には、その旨をユーザＡに通知し、当該年賀状画像に対応する受信者マスタ３２０の情報を削除し、当該年賀状画像に付与した抽選番号３２６に対応する送信者マスタ３１０の抽選番号３１３を、ユーザＡの抽選対象として復活する（ステータス３１４に「抽選対象」と再記録する）ことができる。
【００８１】
以上のようにして年賀状画像の送信が行われる。なお、年賀状画像の送信日時については期限を定めておく。例えば、抽選番号が付与されたものについては抽選日前日まで、付与されないものについては抽選結果確定後所定の期間内（例えば、３０日後や景品送付期限日まで）にしか送付できないものとする。
【００８２】
（３−５．抽選番号の抽選）
本実施形態では、所定の抽選日になると抽選番号の抽選が行われ、当選した抽選番号がナンバーマスタ３００などに登録されるものとする。
【００８３】
本実施形態では、従来のはがきによる年賀状の抽選形態とは異なり、購入された抽選番号に対してのみ抽選を行い、その中から当選番号をランダムに選択する。このように、本実施形態では抽選番号をシステム管理しているため、購入されて出回っている抽選番号のみを抽選対象とでき、そのうち何％を当選とするなど、当選本数も操作できる。またを購入された抽選番号の数に応じて当選確率を変更することも可能である。
【００８４】
当選発表は例えば新聞紙面など何らかの形で行うが、当選番号の発表は行わない。これは、はがきによる年賀状のように当選番号を所定の規則（例えば、下〇〇桁を当選とする等）で定めず、個別の当選番号をランダムに選択するためである。なお、抽選日を過ぎると送信者マスタ３１０や受信者マスタ３２０の抽選番号３１３、３２６は無効になるものとする。
【００８５】
（３−６．抽選結果の確認）
図１２は、抽選結果の確認に係る処理を示すフローチャートである。図のＳ４１、Ｓ４２、Ｓ４６〜Ｓ５０は受信者端末９の制御部が実行する処理であり、Ｓ４３〜Ｓ４５、Ｓ５１は管理サーバ３の制御部３１が実行する処理である。
【００８６】
ユーザＢは、抽選番号３２６の抽選結果の確認を行う場合、受信者端末９を操作してメールに記載されていた自身の確認用ＵＲＬ３２２を入力する。受信者端末９は、確認用ＵＲＬ３２２が入力されると、管理サーバ３が提供するログインサイトにアクセスし、ログイン画面を受信して表示部に表示する（Ｓ４１）。
【００８７】
図１３（ａ）はログイン画面１８の例を示す図である。この画面では、メールアドレスを入力するためのメールアドレス入力領域１８１や、抽選結果確認画面に移行するための「ログイン」ボタン１８３が表示される。ログイン画面１８では、ユーザＡなど、年賀状画像をユーザＢに送信した１または複数の送信者のメールアドレスや、各送信者からの年賀状画像に付与された１または複数の抽選番号などを表示することもできる。
【００８８】
ユーザＢは受信者端末９を操作し、メールアドレス入力領域１８１にユーザＢのメールアドレスを入力し、「ログイン」ボタン１８３を選択する。受信者端末９は、「ログイン」ボタン１８３の選択を受付けて、ユーザＢのメールアドレスを認証情報として管理サーバ３に送信する（Ｓ４２）。
【００８９】
管理サーバ３は、認証情報を受信する（Ｓ４３）と、確認用ＵＲＬ３２２とユーザＢのメールアドレスを比較し、前記した確認用ＵＲＬ３２２生成時の所定のルールに基づく対応関係にあるかをチェックしてユーザ認証を行う（Ｓ４４）。
【００９０】
ユーザ認証が成功すると、管理サーバ３は、受信者マスタ３２０とナンバーマスタ３００を参照し、受信者マスタ３２０においてユーザＢのメールアドレスに対応する抽選番号３２６が、ナンバーマスタ３００において当選番号として記録されているか否かを判定する。そして、判定結果に基づいて、ユーザＢの各抽選番号３２６の当落を示す抽選結果確認画面を作成し、受信者端末９に送信する（Ｓ４５）。受信者端末９は抽選結果確認画面を受信し（Ｓ４６）、表示する（Ｓ４７）。
【００９１】
図１３（ｂ）は抽選結果確認画面１９の例を示す図である。この画面では、抽選番号３２６の抽選結果を表示するための抽選結果表示領域１９１や、景品送付申込を行うための「景品送付申込」ボタン１９３が表示される。
【００９２】
本実施形態では、受信者マスタ３２０に登録された複数の送信者の年賀状画像に付与された複数の抽選番号３２６の結果を、抽選結果表示領域１９１にて一括して表示し、確認することができる。
【００９３】
すなわち、図３（ｃ）に示す受信者マスタ３２０の例では、ユーザＢが、ユーザＡを含む複数の送信者から年賀状画像を受信しており、送信者メールアドレス３２３として、「abc@…」「zzz@…」「999@…」の複数のメールアドレスが登録されている。また、年賀状データ３２４としては、各送信者の年賀状画像が登録されており、抽選番号３２６には各送信者が各年賀状画像に付与した抽選番号３２６が登録されている。そして、抽選結果確認画面１９の抽選結果表示領域１９１では、図１３（ｂ）に示すように、各送信者のメールアドレスと、各送信者が年賀状画像に付与した抽選番号と、各抽選番号の抽選結果（「外れ」「４等」など）が一括して表示される。なお、抽選結果表示領域１９１には、ユーザＢの抽選番号３２６の当選本数などを表示することも可能である。
【００９４】
ユーザＢは、抽選結果確認画面１９によって自身の抽選番号３２６が当選しているかを確認し、当選している抽選番号があり景品の送付を希望する場合には、受信者端末９を操作して「景品送付申込」ボタン１９３を選択する。受信者端末９は、「景品送付申込」ボタン１９３の選択による景品送付申込を受付ける（Ｓ４８）。
【００９５】
受信者端末９は、景品送付申込を受付けると申込画面（不図示）を表示し、景品の送付に必要なユーザＢの住所情報の入力を受付け（Ｓ４９）、住所情報を管理サーバ３に送信する（Ｓ５０）。管理サーバ３は、ユーザＢの住所情報を受信する（Ｓ５１）。
【００９６】
システムの管理者は、得られた住所情報を元に、ユーザＢに景品の郵送を行う。なお、図１３（ｃ）は抽選日前に確認用ＵＲＬ３２２にアクセスした場合の抽選前画面１９ａであり、この場合は、当選結果の発表日と当該発表日以降にログインする旨のメッセージ１９５が表示される。
【００９７】
なお、本実施形態では、ユーザＡも、自身が購入した抽選番号３１３のうち年賀状画像に付与しなかった（受信者マスタ３２０に登録しなかった）抽選番号３１３の抽選結果の確認を上記と同様の手順で行うことができる。
【００９８】
すなわち、前記のＳ１８で受信した確認用ＵＲＬ３１２を送信者端末７を操作して入力することで、図１３（ａ）と同様のログイン画面１８を表示することができ、ユーザ認証後、図１３（ｂ）と同様の抽選結果確認画面１９を送信者端末７に表示することができる。
【００９９】
この場合、管理サーバ３は、送信者マスタ３１０においてステータス３１４が「抽選対象」となっている抽選番号３１３が、ナンバーマスタ３００において当選番号として記録されているか否かを判定し、その判定結果に基づく抽選結果が、抽選結果確認画面１９の抽選結果表示領域１９１に表示される。なお、年賀状画像の送信者のメールアドレスは抽選結果表示領域１９１に必ずしも表示しなくてよい。また、抽選結果表示領域１９１では、ユーザＡが年賀状画像に付与したものも含め、送信者マスタ３１０の全ての抽選番号３１３の抽選結果を表示させることも可能であり、年賀状画像に付与したものについては、受信者マスタ３２０を参照することで、年賀状画像の受信者（ユーザＢ等）のメールアドレスを併せて表示させることも可能である。
【０１００】
以上説明したように、本実施形態では、オンラインで送信者から受信者に宛てた年賀状画像に、送信者が購入した抽選番号を付与することができ、受信者は年賀状画像に付与された抽選番号の抽選結果を確認できる。これにより、抽選番号による抽選の愉しみが、オンラインで送受信される年賀状画像に付随することになる。さらに、従来の年賀状では、年賀状の配達やお年玉懸賞当選時の確認のために郵便局で人件費がかかっているという課題も解消できる。
【０１０１】
また、抽選結果確認画面１９では、受信者マスタ３２０に登録された複数の送信者の年賀状画像に対応する複数の抽選番号についての抽選結果を一括して表示可能なので、複数の送信者から送信された画像に付与されている複数の抽選番号について、抽選結果確認画面１９で一度に抽選結果を確認できる。
【０１０２】
また、メールアドレスの登録により、年賀状画像等を受信者端末９にメールで送信できるようになる。さらに、年賀状画像の送信日時を登録することにより、例えば１月１日の午前０時０分など、決まった時間に年賀状画像を送信でき、年賀状画像の送信予約ができるようになる。
【０１０３】
また抽選番号の抽選は、購入された抽選番号のなかから当選番号を選択することで行われるので、購入されて出回っている抽選番号のなかから抽選番号や当選本数を決定でき、抽選番号の抽選を効率化できるようになる。例えば、従来の年賀状のように、販売されなかった年賀状が当選しているといったことがなくなる。
【０１０４】
また、本実施形態では、前記した手順により、抽選番号を購入した送信者が、年賀状画像に付与しなかった抽選番号３１３を自身の抽選番号として抽選結果を確認できる。
【０１０５】
しかしながら、本発明はこれに限ることはない。例えば本実施形態では、年賀状画像を送信する場合を説明したが、本発明は、コンテンツとして、その他の画像を送信する際や、各種の動画や音声などを送信する際にも適用でき、これに抽選番号を付与することができる。また、図５や図８で説明した送信者端末７の処理はアプリケーションを用いて行ったが、インターネットのサイト上にて行うことも可能である。
【０１０６】
また、前述の実施形態では、送信者と受信者ともに個人をモデルに記載したが、送信者等は法人であってもよい。また、法人がキャンペーン等でメール会員に対し本発明により年始挨拶と共に抽選番号を提供することに加え、本発明を運営するシステム管理者が当該法人に対してメール会員へ配信した抽選番号を個別に提供することで、当該法人は、会員に対し、抽選番号による公的なオープン抽選に加え、同じ抽選番号を法人自身で抽選することにより独立したクローズドな抽選を行う2つのキャンペーンを提供することも可能である。また、法人は会員に対し年賀ハガキで挨拶しているが、上記のようなキャンペーンをプロモーションしてメール会員へ移行させることにより、年始挨拶をメール送信へ切り替えることができ、ハガキ媒体や印字費用、郵送費用がコストカットできるといったメリットがある。
【０１０７】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【０１０８】
１；画像送信システム
３；管理サーバ
５；郵便事業者サーバ
７；送信者端末
９；受信者端末
３００；ナンバーマスタ
３１０；送信者マスタ
３１１、３２３；送信者メールアドレス
３１２、３２２；確認用ＵＲＬ
３１３、３２６；抽選番号
３１４；ステータス
３２０；受信者マスタ
３２１；受信者メールアドレス
３２４；年賀状データ
３２５；送信日時
【図１】
0006394255.tif 000002
【図２】
0006394255.tif 000003
【図３】
0006394255.tif 000004
【図４】
0006394255.tif 000005
【図５】
0006394255.tif 000006
【図６】
0006394255.tif 000007
【図７】
0006394255.tif 000008
【図８】
0006394255.tif 000009
【図９】
0006394255.tif 000010
【図１０】
0006394255.tif 000011
【図１１】
0006394255.tif 000012
【図１２】
0006394255.tif 000013
【図１３】
0006394255.tif 000014